(57)【要約】【課題】ＣＡＤソフトを使えない人でも、ＶＢＡ（Ｖｉｓｕａｌ  Ｂａｓｉｃ  ｆｏｒ  Ａｐｐｒｉｃａｔｉｏｎ）言語で記述されたマクロ機能を備えた表計算ソフト（エクセル）を使用して短時間で所定の仕様に従った図面を作成することができる図面作成ソフトを提供する。絵図を入力すると設計図だけでなく加工図・骨図・材料表・材料取り表・見積原価表が作成される家具の加工・見積ソフトを提供する。【解決手段】エクセルを使用した図面作成ソフトであって、縮尺サイズ・印刷用紙サイズ・図面の種類・枠数・寸法等の各情報を入力する初期設定ステップと、パネル別に色を指定して用意された枠に入力した後、寸法枠を自動作成し、次に寸法枠に寸法を入力する絵図入力ステップと、表示及び印刷サイズのエラーを自動チェックする絵図登録ステップと、設計図のシートに設計図及び立体図を自動作成する設計図作成ステップとからなることを特徴とする。【選択図】図２４
2010108473.tif 000002
【特許請求の範囲】
【請求項１】
ＶＢＡ言語で記述されたマクロ機能を備えた表計算ソフトを使用した図面作成ソフトであって、縮尺サイズ・印刷用紙サイズ・物件Ｎｏ．・製品Ｎｏ．・物件名・製品名・図面の種類・枠数・寸法・台数・設計日の各情報を入力し、全クリアボタンを押下すると指定した枠数の入力範囲がクリアされ入力できる状態になる初期設定ステップと、パネルページボタンを押下し水平板・垂直板・垂直平行板・その他板・特殊を選択してパネル別に色を指定して用意された枠に入力した後、側自動作成・寸法枠準備ボタンを押下するとパネル別に色を指定した枠に対応する寸法枠を自動作成し、次に前記寸法枠に寸法を入力し、更に縮尺サイズ・印刷用紙サイズ・枠数・寸法の各情報の変更入力を可能とすると共に、縮尺・用紙・枠数・寸法変更ボタンを押下すると寸法エラーを自動チェックする絵図入力ステップと、絵図登録ボタンを押下すると表示及び印刷サイズのエラーを自動チェックし、エラーがある場合は縮尺サイズを変更入力する絵図登録ステップと、絵図から設計図を作成するボタンを押下すると設計図のシートに設計図及び立体図を自動作成する設計図作成ステップとからなることを特徴とする図面作成ソフト。
【請求項２】
前記絵図入力ステップにおいて、キャスター・アジャスター・棚スリット・付属品の取付品を指定して用意された枠に入力する取付ページボタンと、加工方法を指定して用意された枠に入力する加工ページボタンと、角度、縦・横の長さを入力して必要な長さを求める絵図入力支援のための図計算ページボタンと、寸法枠に寸法入力した後に寸法結合箇所を選択して寸法結合を行う寸法結合ボタン及び寸法結合箇所を選択して結合解除を行う結合解除ボタンとを備えたことを特徴とする請求項１に記載の図面作成ソフト。
【請求項３】
前記絵図入力ステップにおいて水平板・垂直板・平行板・その他板を選択する際に使用するパネル色別ボタンに名称を追加して登録することができる絵図作成用の基本設定ボタンを備えたことを特徴とする請求項１又は請求項２に記載の図面作成ソフト。
【請求項４】
請求項１乃至請求項３のいずれか１項に記載の図面作成ソフトにおいて、設計図のシートの任意の箇所を選択して寸法線と寸法を表示する寸法線・寸法表示ボタンと、設計図のシートの任意の箇所を選択して仕様を入力する仕様表示ボタンと、設計図のシートの拡大したい元の範囲を選択して選択位置に拡大表示する選択箇所拡大ボタンと、色を付けたい平面図又は立体図を選択して色変更を行う色ボタンと、現在開いている表計算ソフトと同じフォルダに物件Ｎｏ．・製品Ｎｏ．・日時がファイル名に付加されて出力される絵図・設計図保存ボタンとを備えたことを特徴とする図面作成ソフト。
【請求項５】
請求項１乃至請求項４のいずれか１項に記載の図面作成ソフトの機能を備えると共に、家具の加工に必要な最低限の項目を事前に登録しておくことができる加工用基本設定ステップと、絵図から加工図を作成するボタンを押下すると絵図から展開絵図に展開し、その展開絵図から表面・裏面・四方木口面の加工図及びフラッシュ芯材構造に対応できる骨図を自動作成し、前記加工用基本設定ステップで登録した内容に従って材料表を自動作成する加工図・骨図・材料表作成ステップを追加したことを特徴とする家具の加工・見積ソフト。
【請求項６】
請求項５に記載の家具の加工・見積ソフトにおいて、出来上がった材料表の修正をする材料表の修正ボタンと、材料表から材料取り表を作成する材料取り表の作成ボタンと、材料表から見積原価表を作成する見積原価表作成ボタンとを備えたことを特徴とする家具の加工・見積ソフト。
【請求項７】
請求項６に記載の家具の加工・見積ソフトにおいて、頻繁に使う取付物は事前に部品として登録しておき部品番号を絵図に入力するだけで部品登録した内容がそのまま図面に表示される部品登録ボタンを備えたことを特徴とする家具の加工・見積ソフト。
【発明の詳細な説明】
【技術分野】
【０００１】
本発明は、ＣＡＤソフトを使えない人でも、ＶＢＡ（Ｖｉｓｕａｌ  Ｂａｓｉｃ  ｆｏｒ  Ａｐｐｒｉｃａｔｉｏｎ）言語で記述されたマクロ機能を備えた表計算ソフトを使用して短時間で所定の仕様に従った図面を作成することができる図面作成ソフトに関し、更には絵図を入力すると設計図だけでなく加工図・骨図・材料表・材料取り表・見積原価表が作成される家具の加工・見積ソフトに関するものである。
【背景技術】
【０００２】
機械設計、建築設計、土木設計等において２次元、３次元構造体の部品図、施工図、構造図等の作成にＣＡＤが頻繁に使用されている。従来、これらの設計において、上記のような図面を作成するには、専門知識を有するＣＡＤオペレータが、ＣＡＤソフトウェアを用いて、膨大な設計データを直接パソコンにインストールされたＣＡＤ作成ソフトウェアに入力し、データ処理させ、ＣＡＤデータファイルを作成していた。しかしながら、上記ＣＡＤソフトウェアに膨大な設計データを入力するためには、設計データが記載された書面ファイルからＣＡＤオペレータがＣＡＤソフトウェアに入力するため、かなりの手間と時間を要していた。そこで、かかる従来技術の実情に鑑み、小規模な設計物から大規模なものまでの所望のＣＡＤデータファイルあるいはそれを印刷した図面をより迅速に、かつより安価に得ることのできるＣＡＤデータ作成方法を提供する「ＣＡＤデータファイル作成方法及びＣＡＤデータファイル配信方法」が提案されている（特開２００２−２３００５２号公報、特許文献１）。
【０００３】
また、納まり図をＣＡＤ作図する場合、まず、最初に躯体の種類、形状、外部仕上げ部材、内部仕上げ部材というように躯体側の方から順にコード指定してから、サッシなどの建具の部品をコードで指定し、さらに細部を指定するパラメータを入力することで始めて画面上に納まりの下図が描図される。そうした上で、数値入力をして図面に訂正を加えて正確な図面に完成するという手順をとっている。したがって、コードを指定する段階では、作図者は、頭の中に図面をイメージしながら作業しなければならないので、手際よく効率良く作業するには建築についての専門知識と、ＣＡＤについての相当の熟練とを必要としている。そこで、前記従来技術の有する問題点を解消し、建築に対する専門知識やＣＡＤについての熟練を要せず、直感的にかつ視覚的に納まり図などを簡単に効率良く作図できるようにした「施工図用ＣＡＤシステムおよびＣＡＤ支援データが記憶された記憶媒体」が提案されている（特開２００２−３４２３８７号公報、特許文献２）。
【０００４】
また、従来のＣＡＤソフトは、縮尺設定、レイヤー設定、線種・線色設定などの各種の設定が必要で、一般的に、その操作は長い時間トレーニングを積んだ熟練者いわゆるＣＡＤオペレータにより操作がされる。しかしながら、熟練したＣＡＤオペレータにＣＡＤ図面を作成させると一般的に多大な製図コストがかかる。作成すべき図面の枚数が多い場合には多大な時間がかかる。そこで、ＣＡＤソフトに不慣れな者であっても短時間のトレーニングにより所定の製図仕様に従ったＣＡＤ図面を簡単に作成することができるＣＡＤソフトを提供する「ＣＡＤソフト」が提案されている（特開２００３−２３３６２７号公報、特許文献３）。
【先行技術文献】
【特許文献】
【０００５】
【特許文献１】特開２００２−２３００５２号公報
【特許文献２】特開２００２−３４２３８７号公報
【特許文献３】特開２００３−２３３６２７号公報
【発明の概要】
【発明が解決しようとする課題】
【０００６】
本発明は、ＣＡＤソフトを使えない人でも、ＶＢＡ（Ｖｉｓｕａｌ  Ｂａｓｉｃ  ｆｏｒ  Ａｐｐｒｉｃａｔｉｏｎ）言語で記述されたマクロ機能を備えた表計算ソフトを使用して短時間で所定の仕様に従った図面を作成することができる図面作成ソフトを提供することを第１の課題とする。
ここで、ＶＢＡ言語で記述されたマクロ機能を備えた表計算ソフトについては、米国Ｍｉｃｒｏｓｏｆｔ  Ｃｏｒｐｏｒａｔｉｏｎが開発した表計算ソフトＭｉｃｒｏｓｏｆｔ  Ｅｘｃｅｌ（登録商標）（以下、エクセルと表記する）を使用する。
更に、上述した図面作成ソフトの機能を備えると共に、絵図を入力すると設計図だけでなく加工図・骨図・材料表・材料取り表・見積原価表が作成される家具の加工・見積ソフトを提供することを第２の課題とする。
【課題を解決するための手段】
【０００７】
上記第１の課題を解決するために、請求項１に記載の発明は、ＶＢＡ言語で記述されたマクロ機能を備えた表計算ソフトを使用した図面作成ソフトであって、縮尺サイズ・印刷用紙サイズ・物件Ｎｏ．・製品Ｎｏ．・物件名・製品名・図面の種類・枠数・寸法・台数・設計日の各情報を入力し、全クリアボタンを押下すると指定した枠数の入力範囲がクリアされ入力できる状態になる初期設定ステップと、パネルページボタンを押下し水平板・垂直板・垂直平行板・その他板・特殊を選択してパネル別に色を指定して用意された枠に入力した後、側自動作成・寸法枠準備ボタンを押下するとパネル別に色を指定した枠に対応する寸法枠を自動作成し、次に前記寸法枠に寸法を入力し、更に縮尺サイズ・印刷用紙サイズ・枠数・寸法の各情報の変更入力を可能とすると共に、縮尺・用紙・枠数・寸法変更ボタンを押下すると寸法エラーを自動チェックする絵図入力ステップと、絵図登録ボタンを押下すると表示及び印刷サイズのエラーを自動チェックし、エラーがある場合は縮尺サイズを変更入力する絵図登録ステップと、絵図から設計図を作成するボタンを押下すると設計図のシートに設計図及び立体図を自動作成する設計図作成ステップとからなることを特徴とする。
【０００８】
また、請求項２に記載の発明は、請求項１に記載の前記絵図入力ステップにおいて、キャスター・アジャスター・棚スリット・付属品の取付品を指定して用意された枠に入力する取付ページボタンと、加工方法を指定して用意された枠に入力する加工ページボタンと、角度、縦・横の長さを入力して必要な長さを求める絵図入力支援のための図計算ページボタンと、寸法枠に寸法入力した後に寸法結合箇所を選択して寸法結合を行う寸法結合ボタン及び寸法結合箇所を選択して結合解除を行う結合解除ボタンとを備えたことを特徴とする。
【０００９】
また、請求項３に記載の発明は、請求項１又は請求項２に記載の前記絵図入力ステップにおいて水平板・垂直板・平行板・その他板を選択する際に使用するパネル色別ボタンに名称を追加して登録することができる絵図作成用の基本設定ボタンを備えたことを特徴とする。
【００１０】
また、請求項４に記載の発明は、請求項１乃至請求項３のいずれか１項に記載の図面作成ソフトにおいて、設計図のシートの任意の箇所を選択して寸法線と寸法を表示する寸法線・寸法表示ボタンと、設計図のシートの任意の箇所を選択して仕様を入力する仕様表示ボタンと、設計図のシートの拡大したい元の範囲を選択して選択位置に拡大表示する選択箇所拡大ボタンと、色を付けたい平面図又は立体図を選択して色変更を行う色ボタンと、現在開いている表計算ソフトと同じフォルダに物件Ｎｏ．・製品Ｎｏ．・日時がファイル名に付加されて出力される絵図・設計図保存ボタンとを備えたことを特徴とする
【００１１】
上記第２の課題を解決するために、請求項５に記載の発明は、請求項１乃至請求項４のいずれか１項に記載の図面作成ソフトの機能を備えると共に、家具の加工に必要な最低限の項目を事前に登録しておくことができる加工用基本設定ステップと、絵図から加工図を作成するボタンを押下すると絵図から展開絵図に展開し、その展開絵図から表面・裏面・四方木口面の加工図及びフラッシュ芯材構造に対応できる骨図を自動作成し、前記加工用基本設定ステップで登録した内容に従って材料表を自動作成する加工図・骨図・材料表作成ステップを追加したことを特徴とする。
【００１２】
また、請求項６に記載の発明は、請求項５に記載の家具の加工・見積ソフトにおいて、出来上がった材料表の修正をする材料表の修正ボタンと、材料表から材料取り表を作成する材料取り表の作成ボタンと、材料表から見積原価表を作成する見積原価表作成ボタンとを備えたことを特徴とする。
【００１３】
また、請求項７に記載の発明は、請求項６に記載の家具の加工・見積ソフトにおいて、頻繁に使う取付物は事前に部品として登録しておき部品番号を絵図に入力するだけで部品登録した内容がそのまま図面に表示される部品登録ボタンを備えたことを特徴とする。
【発明の効果】
【００１４】
以上のように、本発明にかかる図面作成ソフトによれば、ＶＢＡ言語で記述されたマクロ機能を備えた表計算ソフト（エクセル）を使用し、初期設定ステップと絵図入力ステップと絵図登録ステップと設計図作成ステップとからなり、エクセルのＶＢＡマクロ機能を最大限に利用して、図面を作成したい対象物を色分けした簡単な絵を描き、各々の寸法を入力することができる。また、加工など詳細についても機能別ボタンを使うことにより簡単に反映させることができる。また、図面として複数（最大６枚分まで）入力することができ重ね表示及び印刷も可能である。絵図入力が完了すると、絵図登録ボタンを押下した時点で寸法等の確認を自動でおこない、間違いがなければ設計図及び立体図を作成する。更に、絵図及び設計図をボタンひとつで別のエクセルに名前を付けて保存することもできる。
【００１５】
更に、本発明にかかる家具の加工・見積ソフトによれば、絵図を入力すると設計図・加工図・骨図・材料表・材料取り表・見積原価表が作成されるソフトに機能が拡大される。
【図面の簡単な説明】
【００１６】
【図１】本発明にかかる図面作成ソフトの初期設定の動作を示すフローチャートである。
【図２】本発明にかかる図面作成ソフトの絵図入力（パネル）の動作を示すフローチャートである。
【図３】本発明にかかる図面作成ソフトの絵図入力（取付）の動作を示すフローチャートである。
【図４】本発明にかかる図面作成ソフトの絵図入力（加工）の動作を示すフローチャートである。
【図５】本発明にかかる図面作成ソフトの絵図入力支援（図計算）の動作を示すフローチャートである。
【図６】本発明にかかる図面作成ソフトの寸法枠入力（準備・結合・解除）の動作を示すフローチャートである。
【図７】本発明にかかる図面作成ソフトの縮尺・用紙・枠数・寸法変更の動作を示すフローチャートである。
【図８】本発明にかかる図面作成ソフトの絵図登録の動作を示すフローチャートである。
【図９】本発明にかかる図面作成ソフトの設計図作成の動作を示すフローチャートである。
【図１０】本発明にかかる図面作成ソフトの寸法線・寸法表示の動作を示すフローチャートである。
【図１１】本発明にかかる図面作成ソフトの仕様説明表示の動作を示すフローチャートである。
【図１２】本発明にかかる図面作成ソフトの選択箇所拡大コピーの動作を示すフローチャートである。
【図１３】本発明にかかる図面作成ソフトの設計図・立体図色変更の動作を示すフローチャートである。
【図１４】本発明にかかる図面作成ソフトの絵図・設計図保存の動作を示すフローチャートである。
【図１５】本発明の実施形態における入力画面の一例を示す図である。
【図１６】本発明の実施形態における表示画面（制御）の一例を示す図である。
【図１７】本発明の実施形態における表示画面（パネル）の一例を示す図である。
【図１８】本発明の実施形態における表示画面（取付）の一例を示す図である。
【図１９】本発明の実施形態における表示画面（加工）の一例を示す図である。
【図２０】本発明の実施形態における表示画面（図計算）の一例を示す図である。
【図２１】本発明の実施形態における表示画面（寸法線・寸法表示・仕様等）の一例を示す図である。
【図２２】本発明の実施形態における表示画面（色変更）の一例を示す図である。
【図２３】本発明の実施形態における表示画面（仕様説明登録）の一例を示す図である。
【図２４】本発明にかかる図面作成ソフトによる絵図の第１実施例を示す図である。
【図２５】本発明にかかる図面作成ソフトによる設計図の第１実施例を示す図である。
【図２６】本発明にかかる図面作成ソフトによる絵図の第２実施例を示す図である。
【図２７】本発明にかかる図面作成ソフトによる設計図の第２実施例を示す図である。
【図２８】本発明にかかる図面作成ソフトによる絵図の第３実施例を示す図である。
【図２９】本発明にかかる図面作成ソフトによる設計図の第３実施例を示す図である。
【図３０】本発明にかかる家具の加工・見積ソフトの初心者向操作ガイドの動作を示すフローチャート（１）である。
【図３１】本発明にかかる家具の加工・見積ソフトの初心者向操作ガイドの動作を示すフローチャート（２）である。
【図３２】本発明にかかる家具の加工・見積ソフトの加工用基本設定の動作を示すフローチャートである。
【図３３】基本設定の入力画面の一例を示す図である。
【図３４】絵図作成用パネル色別ボタンの名称設定の動作を示すフローチャートである。
【図３５】基本設定の入力画面の一例を示す図である。
【図３６】本発明にかかる家具の加工・見積ソフトの加工図・骨図・材料表作成の動作を示すフローチャートである。
【図３７】本発明にかかる家具の加工・見積ソフトの材料表の修正の動作を示すフローチャートである。
【図３８】本発明にかかる家具の加工・見積ソフトの材料取り表の作成の動作を示すフローチャートである。
【図３９】本発明にかかる家具の加工・見積ソフトの見積原価表の作成の動作を示すフローチャートである。
【図４０】本発明にかかる家具の加工・見積ソフトの部品登録の動作を示すフローチャートである。
【図４１】本発明の実施形態における表示画面（ボタンメニュー・材料関係）の変更例を示す図である。
【図４２】材料表の修正画面の一例を示す図である。
【図４３】初心者向（操作ガイド）（絵図の入力）の入力画面の一例を示す図である。
【図４４】本発明にかかる家具の加工・見積ソフトによる絵図の一例を示す図である。
【図４５】本発明にかかる家具の加工・見積ソフトによる設計図の一例を示す図である。
【図４６】本発明にかかる家具の加工・見積ソフトによる展開加工図の一例を示す図である。
【図４７】本発明にかかる家具の加工・見積ソフトによる骨図の一例を示す図である。
【図４８】本発明にかかる家具の加工・見積ソフトによる材料表の一例を示す図である。
【図４９】本発明にかかる家具の加工・見積ソフトによる材料取り表の一例を示す図である。
【図５０】本発明にかかる家具の加工・見積ソフトによる見積原価表の一例を示す図である。
【発明を実施するための形態】
【００１７】
以下、本発明の実施の一形態について図面を参酌しながら説明する。本発明の図面作成ソフトは、エクセルを使った経験のある人であれば、短時間で所定の仕様に従った図面を作成することができることを特徴とする。
【００１８】
（初期設定）
図１は、本発明にかかる図面作成ソフトの初期設定の動作を示すフローチャートである。図１５は、本発明の実施形態における入力画面の一例を示す図である。図１６は、本発明の実施形態における表示画面（制御）の一例を示す図である。
ステップＳ１では縮尺サイズが入力されたか否かの判断がなされ、例えば、１ｐｔ／１ｍｍ、１／１５の縮尺サイズが入力されると、ステップＳ２に進む。次に、ステップＳ２では印刷用紙サイズが入力されたか否かの判断がなされ、例えば、Ａ３の印刷用紙サイズが入力されると、ステップＳ３に進む。次に、ステップＳ３では物件Ｎｏ．と製品Ｎｏ．が入力されたか否かの判断がなされ、例えば、物件Ｎｏ．１と製品Ｎｏ．１が入力されると、ステップＳ４に進む。次に、ステップＳ４では物件名．と製品名が入力されたか否かの判断がなされ、例えば、テスト物件の物件名と、テスト什器の製品名が入力されると、ステップＳ５に進む。次に、ステップＳ５では図面の種類が入力されたか否かの判断がなされ、例えば、３方図（又は平面図のみ、骨加工図）が入力されると、ステップＳ６に進む。次に、ステップＳ６では枠数が入力されたか否かの判断がなされ、例えば、Ｗの枠数１０、Ｄの枠数１０、Ｈの枠数１０が入力されると、ステップＳ７に進む。なお、各枠数は最大２００まで設定することができる。次に、ステップＳ７では寸法が入力されたか否かの判断がなされ、例えば、Ｗの寸法６００、Ｄの寸法６００、Ｈの寸法９００が入力されると、ステップＳ８に進む。次に、ステップＳ８では台数、設計日が入力されたか否かの判断がなされ、例えば、台数１、設計日９／３０が入力されると、ステップＳ９に進む。以上のように、初期設定ステップにおいて、縮尺サイズ・印刷用紙サイズ・物件Ｎｏ．・製品Ｎｏ．・物件名・製品名・図面の種類・枠数・寸法・台数・設計日の各情報を入力し、全クリアボタン（図１６参照）を押下すると指定した枠数の入力範囲がクリアされ入力できる状態になる（ステップＳ９、ステップＳ１０）。
【００１９】
（絵図入力）
（１）パネル
図２は、本発明にかかる図面作成ソフトの絵図入力（パネル）の動作を示すフローチャートである。図１７は、本発明の実施形態における表示画面（パネル）の一例を示す図である。
ステップＳ１１〜Ｓ１３では、図面を作成したい対象物を色分けした簡単な絵を描くことにより絵図を入力する。ボタンメニュー（絵図）の「パネル」ページボタンを押下し（ステップＳ１１）、図１７に示す水平板・垂直板・垂直平行板・その他板・特殊を選択し、パネル別に色を指定して用意された枠に入力し（ステップＳ１２）、全て入力されたか否かの判断がなされ（ステップＳ１３）、この判断が否定の時にはステップＳ１２に戻る。
（追加機能の説明）
絵図入力ステップにおいて水平板・垂直板・平行板・その他板を選択する際に使用するパネル色別ボタンに名称を追加して登録することができる絵図作成用の基本設定ボタンを備えることができる。
図３４は、絵図作成用パネル色別ボタンの名称設定の動作を示すフローチャートである。図３５は、基本設定の入力画面の一例を示す図である。
ステップＳ２６０〜Ｓ２６５では、絵図作成用パネル色別ボタンに名称を設定する。
図４１に示すボタンメニュー（絵図）「設定４」ボタンを押下した時、基本設定４（板名登録）画面を表示し（Ｓ２６０）、各コンボボタンを押下すると板名が表示され選択できる（Ｓ２６１）。オールクリアボタンを押下すると全てのコンボボックスの表示が消去される（Ｓ２６２）。標準設定ボタンを押下すると全てのコンボボックスに標準の板名が表示される（Ｓ２６３）。「戻る」ボタンと「次へ」ボタンが備えられており各ボタンが押下されたか否かの判断がなされる（Ｓ２６４、Ｓ２６５）
（２）取付
図３は、本発明にかかる図面作成ソフトの絵図入力（取付）の動作を示すフローチャートである。図１８は、本発明の実施形態における表示画面（取付）の一例を示す図である。
取付品を指定する場合、ボタンメニュー（絵図）の「取付」ページボタンを押下し（ステップＳ２１）、図１８に示すキャスター・アジャスター・棚スリット・付属品を選択し、取付品を指定して用意された枠に入力し（ステップＳ２２）、全て入力されたか否かの判断がなされ（ステップＳ２３）、この判断が否定の時にはステップＳ２２に戻る。
（３）加工
図４は、本発明にかかる図面作成ソフトの絵図入力（加工）の動作を示すフローチャートである。図１９は、本発明の実施形態における表示画面（加工）の一例を示す図である。
加工方法を指定する場合、ボタンメニュー（絵図）の「加工」ページボタンを押下し（ステップＳ３１）、図１９に示すＲ１〜Ｒ４、Ｒ影Ｋ１〜Ｋ４、面穴等を選択し、加工方法を指定して用意された枠に入力し（ステップＳ３２）、全て入力されたか否かの判断がなされ（ステップＳ３３）、この判断が否定の時にはステップＳ３２に戻る。
（４）図計算
図５は、本発明にかかる図面作成ソフトの絵図入力支援（図計算）の動作を示すフローチャートである。図２０は、本発明の実施形態における表示画面（図計算）の一例を示す図である。
角度、縦・横の長さを入力して必要な長さを求める場合、ボタンメニュー（絵図）の「図計算」ページボタンを押下し（ステップＳ４１）、図２０に示す角度（例えば、４５度）、Ｘ（例えば、６００ｍｍ）、Ｙ（例えば、９００ｍｍ）を
入力して絵図入力支援のための必要な長さを求めることができる（ステップＳ４２）。全て入力されたか否かの判断がなされ（ステップＳ４３）、この判断が否定の時にはステップＳ４２に戻る。
（５）寸法枠（準備・結合・解除）
図６は、本発明にかかる図面作成ソフトの寸法枠入力（準備・結合・解除）の動作を示すフローチャートである。
ステップＳ５１〜Ｓ５４では、上記（１）のステップで色分けして描いた絵図に寸法を入力する。ボタンメニュー（絵図）の「制御」ページボタンを押下し（ステップＳ５１）、ボタンメニュー（絵図）の「側自動作成・寸法枠準備」ボタンを押下しパネル別に色を指定した枠に対応する寸法枠を自動作成する（ステップＳ５２）。次に、その用意された寸法枠の中にそれぞれ必要な寸法を入力する（ステップＳ５３）。全て入力されたか否かの判断がなされ（ステップＳ５４）、この判断が否定の時にはステップＳ５３に戻る。
寸法枠入力の際に寸法枠の結合又は解除が必要な場合、以下のステップに従い進む。寸法を結合する必要があるか否かの判断がなされ（ステップＳ５５）、この判断が肯定の時には寸法結合箇所を選択し「寸法結合」ボタンを押下する（ステップＳ５６）。次に、寸法を結合解除する必要があるか否かの判断がなされ（ステップＳ５７）、この判断が肯定の時には寸法結合箇所を選択し「結合解除」ボタンを押下する（ステップＳ５８）。
（６）縮尺・印刷用紙・枠数・寸法変更
図７は、本発明にかかる図面作成ソフトの縮尺・用紙・枠数・寸法変更の動作を示すフローチャートである。
ステップＳ６１〜Ｓ７０では、初期設定又は絵図入力で指定した縮尺・印刷用紙・枠数・寸法の変更を可能にする。縮尺サイズを変更するか否かの判断がなされ（ステップＳ６１）、この判断が肯定の時には縮尺サイズを変更する（ステップＳ６２）。次に、印刷用紙サイズを変更するか否かの判断がなされ（ステップＳ６３）、この判断が肯定の時には印刷用紙サイズを変更する（ステップＳ６４）。次に、枠数を変更するか否かの判断がなされ（ステップＳ６５）、この判断が肯定の時には枠数を変更する（ステップＳ６６）。次に、寸法を変更するか否かの判断がなされ（ステップＳ６７）、この判断が肯定の時には寸法を変更する（ステップＳ６８）。そして、縮尺・用紙・枠数・寸法のいずれかを変更したか否かの判断がなされ（ステップＳ６９）、この判断が肯定の時にはボタンメニュー（絵図）の「縮尺・用紙・枠数・寸法変更」ボタンを押下する（ステップＳ７０）この時、寸法のエラーが表示されたか否かの判断がなされ（ステップＳ７１）、この判断が肯定の時には寸法枠の寸法を訂正する（ステップＳ７２）。次に、寸法のエラーが表示されたか否かの判断がなされ（ステップＳ７３）、この判断が肯定の時にはステップＳ７２に戻る。
【００２０】
（絵図登録）
図８は、本発明にかかる図面作成ソフトの絵図登録の動作を示すフローチャートである。
ステップＳ８１〜Ｓ８３では、上述した各ステップに従って入力した絵図を登録する。ボタンメニュー（絵図）の「絵図登録」ボタンを押下し（ステップＳ８１）、表示、印刷サイズのエラーが表示されたか否かの判断がなされ（ステップＳ８２）、この判断が肯定の時には縮尺サイズを変更する（ステップＳ８３）。そして、再度「絵図登録」ボタンを押下する（ステップＳ８１）。
なお、絵図（１）〜絵図（６）の最大６枚分まで入力し登録することができ、これらを重ね表示及び印刷することが可能である。
【００２１】
（設計図作成）
図９は、本発明にかかる図面作成ソフトの設計図作成の動作を示すフローチャートである。
ステップＳ９１〜Ｓ９２では、登録した絵図に基づいて設計図面を自動作成する。ボタンメニュー（絵図）の「絵図から設計図を作成」ボタンを押下すると（ステップＳ９１）、「設計図」のシートに設計図及び立体図が作成される（ステップＳ９２）。
【００２２】
（絵図・設計図の付加機能）
（１）寸法線・寸法表示
図１０は、本発明にかかる図面作成ソフトの寸法線・寸法表示の動作を示すフローチャートである。図２１は、本発明の実施形態における表示画面（寸法線・寸法表示・仕様等）の一例を示す図である。
「設計図」のシートの任意のセルを選択し（ステップＳ１０１）、ボタンメニュー（図面）の「寸法線」、「コネクタ線」ボタンを押下し線を表示する（ステップＳ１０２）。表示された「線」を、長さを表示したい箇所に移動し（ステップＳ１０３）、ボタンメニュー（図面）の「寸法（上）（下）（左）（右）」ボタンを押下し長さを表示する（ステップＳ１０４）。なお、表示したい長さが他にある場合はステップＳ１０１に戻る。
（２）仕様説明表示
図１１は、本発明にかかる図面作成ソフトの仕様説明表示の動作を示すフローチャートである。図２１は、本発明の実施形態における表示画面（寸法線・寸法表示・仕様等）の一例を示す図である。
直接矢印を表示し仕様を入力するか否かの判断がなされ（ステップＳ１１１）、この判断が肯定の時にはステップＳ１１２に進み、一方この判断が否定の時にはステップＳ１１６に進む。
上記判断が肯定の時には、「設計図」のシートの任意のセルを選択し（ステップＳ１１２）、ボタンメニュー（図面）の「仕様（１）」ボタンを押下し線を表示し（ステップＳ１１３）、表示された「線」の横に仕様を入力する（ステップＳ１１４）。なお、表示したい仕様が他にある場合はステップＳ１１２に戻る。
上記判断が否定の時には、ボタンメニュー（図面）「仕様登録」ボタンを押下し登録画面を表示し（ステップＳ１１６）、仕様説明登録用画面（図２３参照）で仕様を最大１０行まで登録し（ステップＳ１１７）、「設計図」のシートの任意のセルを選択し（ステップＳ１１８）、ボタンメニュー（図面）の「仕様（２）」ボタンを押下し登録した仕様を表示する（ステップＳ１１９）。なお、表示したい仕様が他にある場合はステップＳ１１６に戻る。
（３）選択箇所拡大コピー
図１２は、本発明にかかる図面作成ソフトの選択箇所拡大コピーの動作を示すフローチャートである。図２１は、本発明の実施形態における表示画面（寸法線・寸法表示・仕様等）の一例を示す図である。
「設計図」のシートの拡大したい元の範囲を選択し（ステップＳ１２１）、ボタンメニュー（図面）の「選択箇所コピー」ボタンを押下しコピーし（ステップＳ１２２）、ボタンメニュー（図面）の「拡大倍率」を入力し（ステップＳ１２３）、「設計図」のシートの貼り付けたいセルを指定し（ステップＳ１２４）、ボタンメニュー（図面）の「選択位置に拡大表示」ボタンを押下し貼り付ける（ステップＳ１２５）。なお、拡大表示したい図面が他にある場合はステップＳ１２１に戻る。
（４）設計図・立体図色変更
図１３は、本発明にかかる図面作成ソフトの設計図・立体図色変更の動作を示すフローチャートである。図２１は、本発明の実施形態における表示画面（寸法線・寸法表示・仕様等）の一例を示す図である。
ボタンメニュー（図面）の「図面の色変更」ボタンを押下しカラー画面（図２２）を表示する（ステップＳ１３１）。平面図の色変更か否かの判断がなされ（ステップＳ１３２）、この判断が肯定の時にはステップＳ１３３に進み、一方この判断が否定の時にはステップＳ１３８に進む。
上記判断が肯定の時には、ボタンメニュー（カラー）の「平面」選択し（ステップＳ１３３）、平面図の色を付けたい範囲内の任意のセルを選択し（ステップＳ１３４）、選択する位置がずれる場合は微調整（横・縦）に数値を入力し位置を調整し（ステップＳ１３５）、ボタンメニュー（カラー）の付けたい「色」ボタンを押下し色を付ける（ステップＳ１３６）。なお、色を付けたい平面図が他にある場合はステップＳ１３４に戻る。
上記判断が否定の時には、ボタンメニュー（カラー）の「立体前+側」「立体前」「立体側」のいずれかを選択し（ステップＳ１３８）、色を付けたい立体図を選択し（ステップＳ１３９）、ボタンメニュー（カラー）の付けたい「色」ボタンを押下し色を付ける（ステップＳ１４０）。なお、色を付けたい立体図が他にある場合はステップＳ１３８に戻る。
（５）絵図・設計図保存
図１４は、本発明にかかる図面作成ソフトの絵図・設計図保存の動作を示すフローチャートである。図２１は、本発明の実施形態における表示画面（寸法線・寸法表示・仕様等）の一例を示す図である。
ボタンメニュー（図面）の「設計図・絵図を別エクセルに保存」ボタンを押下し（ステップＳ１５１）、現在開いているエクセルと同じフォルダに物件Ｎｏ．・製品Ｎｏ．・日時がファイル名に付加されて出力される（ステップＳ１５２）。
【００２３】
（第１実施例）
図２４は、本発明にかかる図面作成ソフトによる絵図の第１実施例を示す図である。図２５は、本発明にかかる図面作成ソフトによる設計図の第１実施例を示す図である。
図２４に示すように図面を作成したい対象物についての絵図が、正面図、平面図、側面図（２枚の側断面図含む）の三方図により特定され、それぞれ１０枠×１０枠の中にパネル別に色分けして描かれ、パネル別に色分けされた枠に対応する寸法枠（上方側及び左方側）に寸法が入力されている（上述の絵図入力ステップ参照）。
本実施例では、正面図に色分けして描かれているように棚板の枚数が左右で異なるため、２枚の側断面図を描くことが必要になる。Ａ側断面図には正面図の左側に描いた１枚の棚板の色と同じ色を指定して対応する位置に１枚の棚板が描かれ、Ｂ側断面図には正面図の右側に描いた２枚の棚板の色と同じ色を指定して対応する位置に２枚の棚板が描かれている。
この絵図を登録して絵図から設計図を作成するボタンを押下すると、設計図のシートに図２５に示す設計図及び立体図が自動作成される。
【００２４】
（第２実施例）
図２６は、本発明にかかる図面作成ソフトによる絵図の第２実施例を示す図である。図２７は、本発明にかかる図面作成ソフトによる設計図の第２実施例を示す図である。
図２６に示すように図面を作成したい対象物についての絵図が、正面図、平面図、側面図（２枚の側断面図含む）の三方図により特定され、それぞれ２５枠×２５枠の中にパネル別に色分けして描かれ、パネル別に色分けされた枠に対応する寸法枠（上方側及び左方側）に寸法が入力されている（上述の絵図入力ステップ参照）。
本実施例では、平面図に色分けして描かれているように天板の一部分に穴があいており、正面図の右側上部に色分けして描かれているように３個の引出が取り付けられている。
この絵図を登録して絵図から設計図を作成するボタンを押下すると、設計図のシートに図２７に示す設計図及び立体図が自動作成される。
【００２５】
（第３実施例）
図２８は、本発明にかかる図面作成ソフトによる絵図の第３実施例を示す図である。図２９は、本発明にかかる図面作成ソフトによる設計図の第３実施例を示す図である。
図２８に示すように図面を作成したい対象物についての絵図が、正面図、平面図、側面図（１枚の側断面図含む）の三方図により特定され、それぞれ１０枠×１０枠の中にパネル別に色分けして描かれ、パネル別に色分けされた枠に対応する寸法枠（上方側及び左方側）に寸法が入力されている（上述の絵図入力ステップ参照）。
本実施例では、平面図の下側に穴（６００×１００）の加工が入力され、同平面図の上端部の両側にＫ１、Ｋ２のＲ影加工が入力され、同平面図の下端部の両側にＲ３、Ｒ４のＲ加工が入力され、それらに対応するように正面図の上端部の両側にＲ１、Ｒ２のＲ加工が入力され、同正面図の中央部の両側にＫ１、Ｋ２のＲ影加工が入力され、側面図及びＡ側断面図にＫ１、Ｋ３のＲ影加工が入力されている。
この絵図を登録して絵図から設計図を作成するボタンを押下すると、設計図のシートに図２９に示す設計図及び立体図が自動作成される。
【００２６】
次に、本発明の家具の加工・見積ソフトについて説明する。この家具の加工・見積ソフトについても上述した図面作成ソフトと同様にエクセルを使った経験のある人であれば、短時間で所定の仕様に従った設計図・加工図・骨図・材料表・材料取り表・見積原価表を作成することができることを特徴とする。家具の加工・見積ソフトは、上述した図面作成ソフトの機能を備えると共に、更に以下に述べる機能が付加されている。
【００２７】
（初心者向操作ガイド）
図３０及び図３１は、本発明にかかる家具の加工・見積ソフトの初心者向操作ガイドの動作を示すフローチャートである。
初心者向操作ガイドは、ソフトを開いた時又はボタンメニュー（絵図）「初心者」ボタン（図４１参照）を押下した時に、操作順序に従って画面が切り替わる。
（１）ステップＳ２００では操作方法選択画面が表示され、初心者向（操作ガイド付き）が押下されると縮尺欄（ポイント）画面の表示＆入力（Ｓ２０２）に進む。一方、慣れた方向が押下されるとボタンメニュー（絵図）画面が表示される（Ｓ２０１）。
（２）ステップＳ２０２ではガイドに従って縮尺欄（ポイント）に数字を入力する（例えば、１ｐｔ／１ｍｍの場合は「１」を入力する）。「次へ」ボタンが押下されると縮尺欄（縮尺率）画面の表示＆入力（Ｓ２０３）に進む。一方、「戻る」ボタンが押下されるとステップＳ２００に戻る。
（３）ステップＳ２０３ではガイドに従って縮尺欄（縮尺率）に数字を入力する（例えば、１／２０の場合は「２０」を入力する）。「次へ」ボタンが押下されると印刷用紙画面の表示＆入力（Ｓ２０４）に進む。一方、「戻る」ボタンが押下されるとステップＳ２０２に戻る。
（４）ステップＳ２０４ではガイドに従って「Ａ３」用紙又は「Ａ２」用紙を指定する。「次へ」ボタンが押下されると物件Ｎｏ．・製品Ｎｏ．画面の表示＆入力（Ｓ２０５）に進む。一方、「戻る」ボタンが押下されるとステップＳ２０３に戻る。
（５）ステップＳ２０５ではガイドに従って物件Ｎｏ．・製品Ｎｏ．に数字を入力する。「次へ」ボタンが押下されると物件名・製品名画面の表示＆入力（Ｓ２０６）に進む。一方、「戻る」ボタンが押下されるとステップＳ２０４に戻る。
（６）ステップＳ２０６ではガイドに従って物件名・製品名を入力する。「次へ」ボタンが押下されると図面の種類画面の表示＆入力（Ｓ２０７）に進む。一方、「戻る」ボタンが押下されるとステップＳ２０５に戻る。
（７）ステップＳ２０７ではガイドに従って「三方図」「平面図」「骨加工図」のいずれかを指定する。「次へ」ボタンが押下されると枠数欄画面の表示＆入力（Ｓ２０８）に進む。一方、「戻る」ボタンが押下されるとステップＳ２０６に戻る。
（８）ステップＳ２０８ではガイドに従って枠数を指定する（例えば、Ｗの枠数「２０」、Ｄの枠数「２０」、Ｈの枠数「２０」を入力する）。なお、各枠数は最大２００まで設定することができる。「次へ」ボタンが押下されると寸法欄画面の表示＆入力（Ｓ２０９）に進む。一方、「戻る」ボタンが押下されるとステップＳ２０７に戻る。
（９）ステップＳ２０９ではガイドに従って寸法ｍｍを指定する（例えば、Ｗの寸法「１５００」、Ｄの寸法「５００」、Ｈの寸法「９００」を入力する）。「次へ」ボタンが押下されると巾木・台数・設計日欄画面の表示＆入力（Ｓ２１０）に進む。一方、「戻る」ボタンが押下されるとステップＳ２０８に戻る。
（１０）ステップＳ２１０ではガイドに従って巾木・台数・設計日を指定する。「次へ」ボタンが押下されると全クリア画面の表示（Ｓ２１１）に進む。一方、「戻る」ボタンが押下されるとステップＳ２０９に戻る。
（１１）ステップＳ２１１ではガイドに従って「全クリア」ボタンが押下される又は「次へ」ボタンが押下されると絵図の入力（設定）画面の表示＆入力（Ｓ２１２）に進む。一方、「戻る」ボタンが押下されるとステップＳ２１０に戻る。
（１２）ステップＳ２１２ではガイドに従って板名の有無・厚さ・仕切板数・棚板数を選択又は入力する（図４３参照）。「絵図作成」ボタンが押下される又は「次へ」ボタンが押下されると側自動作成・寸法枠準備画面の表示（Ｓ２１３）に進む。一方、「戻る」ボタンが押下されるとステップＳ２１１に戻る。
（１３）ステップＳ２１３ではガイドに従って「側枠準備」ボタンが押下される又は「次へ」ボタンが押下されると寸法入力・絵図登録画面の表示＆入力（Ｓ２１４）に進む。一方、「戻る」ボタンが押下されるとステップＳ２１２に戻る。
（１４）ステップＳ２１４ではガイドに従って「絵図登録」ボタンが押下される又は「次へ」ボタンが押下されると入力表示寸法枠結合解除画面の表示＆入力（Ｓ２１５）に進む。一方、「戻る」ボタンが押下されるとステップＳ２１３に戻る。
（１５）ステップＳ２１５ではガイドに従って複数の寸法枠を結合又は解除する該当箇所を選択し「結合」ボタン又は「解除」ボタンが押下される。「次へ」ボタンが押下されると絵図登録画面の表示（Ｓ２１６）に進む。一方、「戻る」ボタンが押下されるとステップＳ２１４に戻る。
（１６）ステップＳ２１６ではガイドに従って「絵図登録」ボタンが押下される又は「次へ」ボタンが押下されると絵図から設計図を作成画面の表示（Ｓ２１７）に進む。一方、「戻る」ボタンが押下されるとステップＳ２１５に戻る。
（１７）ステップＳ２１７ではガイドに従って「設計図作成」ボタンが押下される又は「次へ」ボタンが押下されると絵図から加工図を作成画面の表示（Ｓ２１８）に進む。一方、「戻る」ボタンが押下されるとステップＳ２１６に戻る。
（１８）ステップＳ２１８ではガイドに従って「加工図作成」ボタンが押下される又は「次へ」ボタンが押下されると材料表の修正画面の表示＆入力（Ｓ２１９）に進む。一方、「戻る」ボタンが押下されるとステップＳ２１７に戻る。
（１９）ステップＳ２１９ではガイドに従って「材料表修正」ボタンが押下される。「次へ」ボタンが押下されると材料取り表の作成画面の表示＆入力（Ｓ２２０）に進む。一方、「戻る」ボタンが押下されるとステップＳ２１８に戻る。
（２０）ステップＳ２２０ではガイドに従って「材料取表」ボタンが押下される又は「次へ」ボタンが押下されると見積原価表の作成画面の表示＆入力（Ｓ２２１）に進む。一方、「戻る」ボタンが押下されるとステップＳ２１９に戻る。
（２１）ステップＳ２２１ではガイドに従って「見積原価表」ボタンが押下される又は「次へ」ボタンが押下されると一連の操作の完了画面の表示＆入力（Ｓ２２２）に進む。一方、「戻る」ボタンが押下されるとステップＳ２２０に戻る。
（２２）ステップＳ２２２ではガイドに従って「次へ」ボタンが押下されるとボタンメニュー（絵図）画面の表示（Ｓ２２３）に進む。一方、「戻る」ボタンが押下されるとステップＳ２２１に戻る。
【００２８】
（加工用基本設定）
図３２は、本発明にかかる家具の加工・見積ソフトの加工用基本設定の動作を示すフローチャートである。図３３は、基本設定の入力画面の一例を示す図である。
ステップＳ２３０〜Ｓ２５２では、加工に必要な最低限の項目を事前に登録しておくことができる。
図４１に示すボタンメニュー（絵図）「設定１」ボタンを押下した時、図３３に示す基本設定１画面を表示し（Ｓ２３０）、対象「店舗用」「ゼネコン用」「その他」のいずれかを選択し（Ｓ２３１）、組み方「ビス」「ビスケット」「ボーリング」のいずれかを選択し（Ｓ２３２）、パネル構造「素地材料」「プレス構造」のいずれかを選択し（Ｓ２３３）、表面仕上「化粧材」「塗装」「シート貼」のいずれかを選択する（Ｓ２３４）。「次へ」ボタンが押下されると図３３に示す基本設定２画面が表示される（Ｓ２３８）。一方、「戻る」ボタンが押下されるとボタンメニュー（絵図）画面が表示される（Ｓ２３６）。
次に、基本設定２画面では、基本化粧「外部」「内部」各々のいずれかを選択し（Ｓ２３９）、「芯材巾」「ベタ芯材」「各種品番」「面貼り材」「基本サイズ」等を設定し（Ｓ２４０）、「プレス概要に反映」ボタンを押下してプレス概要各板別に外部内部の材料を設定した後「登録」ボタンを押下する（Ｓ２４１〜Ｓ２４３）。「次へ」ボタンが押下されると図３３に示す基本設定３画面が表示される（Ｓ２４６）。一方、「戻る」ボタンが押下されるとステップＳ２３０に戻る。
次に、基本設定３画面では、プレス構造詳細「板分類」を指定し詳細を設定し（Ｓ２４７）、「プレス構造詳細登録」ボタンを押下して芯材面貼材詳細を設定した後「芯材面貼材登録」ボタンを押下する（Ｓ２４８〜Ｓ２５０）。「次へ」ボタンが押下されるとボタンメニュー（絵図）画面が表示される（Ｓ２３６）。一方、「戻る」ボタンが押下されるとステップＳ２３８に戻る。
【００２９】
（加工図・骨図・材料表作成）
図３６は、本発明にかかる家具の加工・見積ソフトの加工図・骨図・材料表作成の動作を示すフローチャートである。図４６は展開加工図の一例を示す図である。図４７は骨図の一例を示す図である。図４８は、材料表の一例を示す図である。
図４１に示すボタンメニュー（絵図）「絵図から加工図を作成」ボタンを押下した時、内部に登録された色順に絵図を検索し処理する（Ｓ２７０）。内部登録された色と同じ色の絵図か否かの判断がなされ（Ｓ２７１）、この判断が肯定の時には絵図から展開絵図にコピーおよび展開し（Ｓ２７２）、展開絵図から図４６に示す展開加工図を自動作成する（Ｓ２７３）。次に、展開絵図から図４７に示す骨図を自動作成し（Ｓ２７４）、上記で登録した加工用基本設定を元に図４８に示す材料表を自動作成する（Ｓ２７５）。次に、内部登録された色の読み込みが完了したか否かの判断がなされ（Ｓ２７６）、この判断が否定の時にはステップＳ２７０に戻る。
【００３０】
（材料表の修正）
図３７は、本発明にかかる家具の加工・見積ソフトの材料表の修正の動作を示すフローチャートである。図４２は、材料表の修正画面の一例を示す図である。
図４１に示す「材料関係」の中の「材料表の修正」ボタンを押下した時、図４２に示す材料表の修正画面が表示される（Ｓ２８０）。材料表の番号を選択すると選択したパネルの詳細が表示され（Ｓ２８１）又は材料表のパネル名を選択すると選択したパネルの詳細が表示される（Ｓ２８２）。次に、詳細について修正があれば修正し（Ｓ２８３）、「登録」ボタンが押下されたか否かの判断がなされ（Ｓ２８４）、この判断が肯定の時にはステップＳ２８１・Ｓ２８２に戻る。
【００３１】
（材料取り表の作成）
図３８は、本発明にかかる家具の加工・見積ソフトの材料取り表の作成の動作を示すフローチャートである。図４９は、材料取り表の一例を示す図である。
図４１に示す「材料関係」の中の「材料取り表の作成」ボタンを押下した時、上記で作成された材料表から図４９に示す材料取り表が作成される（Ｓ２９０）。
【００３２】
（見積原価表の作成）
図３９は、本発明にかかる家具の加工・見積ソフトの見積原価表の作成の動作を示すフローチャートである。図５０は、見積原価表の一例を示す図である。
図４１に示す「材料関係」の中の「見積原価表の作成」ボタンを押下した時、
上記で作成された材料表から図５０に示す見積原価表が作成される（Ｓ２９１）。
【００３３】
（部品登録）
図４０は、本発明にかかる家具の加工・見積ソフトの部品登録の動作を示すフローチャートである。
図４１に示すボタンメニュー（絵図）「部品登録」ボタンを押下した時、部品のフォルダ内に部品番号が付加されて登録される（Ｓ２９２）。
【図２】
2010108473.tif 000003
【図８】
2010108473.tif 000004
【図１０】
2010108473.tif 000005
【図１７】
2010108473.tif 000006
【図１８】
2010108473.tif 000007
【図１９】
2010108473.tif 000008
【図２０】
2010108473.tif 000009
【図２２】
2010108473.tif 000010
【図２３】
2010108473.tif 000011
【図２４】
2010108473.tif 000012
【図２６】
2010108473.tif 000013
【図２８】
2010108473.tif 000014
【図３６】
2010108473.tif 000015
【図３７】
2010108473.tif 000016
【図１】
2010108473.tif 000017
【図３】
2010108473.tif 000018
【図４】
2010108473.tif 000019
【図５】
2010108473.tif 000020
【図６】
2010108473.tif 000021
【図７】
2010108473.tif 000022
【図９】
2010108473.tif 000023
【図１１】
2010108473.tif 000024
【図１２】
2010108473.tif 000025
【図１３】
2010108473.tif 000026
【図１４】
2010108473.tif 000027
【図１５】
2010108473.tif 000028
【図１６】
2010108473.tif 000029
【図２１】
2010108473.tif 000030
【図２５】
2010108473.tif 000031
【図２７】
2010108473.tif 000032
【図２９】
2010108473.tif 000033
【図３０】
2010108473.tif 000034
【図３１】
2010108473.tif 000035
【図３２】
2010108473.tif 000036
【図３３】
2010108473.tif 000037
【図３４】
2010108473.tif 000038
【図３５】
2010108473.tif 000039
【図３８】
2010108473.tif 000040
【図３９】
2010108473.tif 000041
【図４０】
2010108473.tif 000042
【図４１】
2010108473.tif 000043
【図４２】
2010108473.tif 000044
【図４３】
2010108473.tif 000045
【図４４】
2010108473.tif 000046
【図４５】
2010108473.tif 000047
【図４６】
2010108473.tif 000048
【図４７】
2010108473.tif 000049
【図４８】
2010108473.tif 000050
【図４９】
2010108473.tif 000051
【図５０】
2010108473.tif 000052